(57)【要約】【課題】ローラー転動中の摩擦音と摩耗を可及的に低減する。【解決手段】ローラーが、ローラー本体部ＲＨと、該ローラー本体部に対して分離不能に一体化され、露出しているローラー本体部外周面ＲＨＧに対して僅かにδ突出した外周部Ｄ１Ｇ，Ｄ２Ｇを有し、ローラー本体部よりも柔軟で弾性を有する部材によって形成された弾性部Ｄ１，Ｄ２とを具備するよう構成する。【選択図】        図３
2004180844.tif 000002
【特許請求の範囲】
【請求項１】
ローラー本体部と、
該ローラー本体部に対して分離不能に一体化され、露出しているローラー本体部外周面に対して僅かに突出した外周部を有し、ローラー本体部よりも柔軟で弾性を有する部材によって形成された弾性部と
を具備することを特徴とするローラー。
【請求項２】
前記ローラー本体部の左右両側に第１と第２の弾性部が配設され、該各弾性部はローラー本体部に対して分離不能に一体化されてなる請求項１記載のローラー。
【請求項３】
キャビネット等の家具の抽斗を引き出す際のガイドレールであって、
ローラー本体部と、該ローラー本体部に対して分離不能に一体化され、露出しているローラー本体部外周面に対して僅かに突出した外周部を有し、ローラー本体部よりも柔軟で弾性を有する部材によって形成された弾性部とを具備するローラーを組み込んでいることを特徴とするガイドレール。
【請求項４】
前記ローラーは、ローラー本体部の左右両側に第１と第２の弾性部が配設され、該各弾性部はローラー本体部に対して分離不能に一体化されてなる請求項３記載のガイドレール。
【発明の詳細な説明】
【０００１】
【発明の属する技術分野】
本発明は、キャビネット等のオフィス用家具及びその他家庭用家具の抽斗を引き出す際の摩擦低減用に用いるローラーと、そのローラーを設けたガイドレールに関する。
【０００２】
【従来の技術】
従来から、キャビネットの抽斗のように、特に重いものを引き出す場合、それを滑らかに引き出すために、ローラーを組み込んだ、単式の、又は複数本が１組となった複式のガイドレールが用いられている。また、ガイドレールを用いなくても、ローラー自体を抽斗に装着して使用することもあろう。こうした場合に使用するローラーは、通常、抽斗やその収容物の重量によって実質的に形状変形しない程度の硬さを有するポリアセタール等の合成樹脂製である。
【０００３】
【発明が解決しようとする課題】
然しながら、上記の如きローラーの転動する相手側部材となるのは、筐体側に固定したレール部材や抽斗側に固定したレール部材、又は筐体自体や抽斗自体であり、一般には金属製部材や木製部材である。従って、所定の硬さを有する部材同士の回転となり、実際には、少しの相対的滑りを生じていることが現実である。このため、引き出す操作中に滑り摩擦の音が生じる。更には、滑り摩擦によるローラーの摩耗が生じており、ローラーの耐久性の問題が生じる。
依って本発明は、ローラー転動中の摩擦音と摩耗の可及的低減を目的とする。
【０００４】
【課題を解決するための手段】
上記目的に鑑みて請求項１では、ローラー本体部と、該ローラー本体部に対して分離不能に一体化され、露出しているローラー本体部外周面に対して僅かに突出した外周部を有し、ローラー本体部よりも柔軟で弾性を有する部材によって形成された弾性部とを具備することを特徴とするローラーを提供する。
【０００５】
ローラー本体部よりも柔軟で弾性を有する部材によって形成された弾性部が、ローラー本体部外周面に対して僅かに突出した外周部を有しているため、この突出外周部が転動圧力によって転動の相手部材面と押圧し合い、ローラー全体の転動摩擦力が向上し、滑りが防止される。また、この柔軟な外周部がローラー本体部外周面に対して僅かに突出しているだけであるため、該柔軟外周部は、相対的に硬質なローラー本体部外周面に対して面一状態にまで押し潰され、ローラー転動の際の圧力は実質的にローラー本体部によって受け持つことができ、柔軟外周部が損傷することも防止できる。更には、転動に伴って柔軟外周部の夫々の部位が押圧状態から開放されれば、柔軟外周部（弾性部）の弾性作用によってその外周部は元のように僅かに突出した状態に戻る。従って、ローラーの滑りが防止されて転動時の音と摩耗を可及的に低減できる。
【０００６】
請求項２では、前記ローラー本体部の左右両側に第１と第２の弾性部が配設され、該各弾性部はローラー本体部に対して分離不能に一体化されてなる請求項１記載のローラーを提供する。
弾性部をローラー本体部の側面部に配設する代りに、幅方向の中間部に設けた場合と比較する。中間部に配設すれば、ローラー本体部は、幅方向の中間位置に凹部を有する形態となり、転動圧力によって凹部の底部において応力集中を生じ易くなり、そこからローラー本体部が破損する危険性が高くなる。特に押圧力が大きい場合に問題となる。
これに比べて弾性部を左右両側に設けた場合は、ローラー本体部に応力集中を生じる原因は生じておらず、耐久性に優れる。また、弾性部を左右両側に設けているため、転動相手部材面との当接角度が左右何れかの方向に傾斜しても、常に少なくとも左右弾性部外周部の一方には接触でき、ローラーの滑りが防止でき、延いてはローラー転動中の摩擦音と摩耗が可及的に低減できる。
【０００７】
請求項３では、キャビネット等の家具の抽斗を引き出す際のガイドレールであって、ローラー本体部と、該ローラー本体部に対して分離不能に一体化され、露出しているローラー本体部外周面に対して僅かに突出した外周部を有し、ローラー本体部よりも柔軟で弾性を有する部材によって形成された弾性部とを具備するローラーを組み込んでいることを特徴とするガイドレールを提供する。
【０００８】
キャビネット等の家具の抽斗には、例えばファイル等の比較的重い収容物が通常収容されるので、ガイドレールを設けていることが多い。このガイドレールに対して、請求項１に記載のローラーを組み込んでおけば、請求項１の場合と同様に、抽斗を出し入れする際の音とローラーの摩耗が効果的に低減できる。
【０００９】
請求項４では、前記ローラーは、ローラー本体部の左右両側に第１と第２の弾性部が配設され、該各弾性部はローラー本体部に対して分離不能に一体化されてなる請求項３記載のガイドレールを提供する。
請求項３のガイドレールにおいて、請求項２に記載のローラーを組み込んでおけば、請求項３に対する作用効果に請求項２のローラーの作用効果が重畳する。
【００１０】
【発明の実施の形態】
以下、本発明を添付図面に示す実施形態例に基づき、更に詳細に説明する。
図１は本発明に係るガイドレールの一例であって、複式ガイドレールの斜視図であるが、本発明は単式ガイドレールにも適用され得る。図１では、筐体１０に固定された筐体側レール１０Ｇの中を、移動レール１２がスライド可能に構成されている。この移動レールには下方位置に３個のローラーＲ１，Ｒ２，Ｒ３（前方から順次）が取り付けられており、上方位置には２個のローラーＲ４，Ｒ５（後方から順次）が取り付けられている。
【００１１】
ローラーＲ１は移動レールの前端下部、ローラーＲ４は後端上部、ローラーＲ２，Ｒ３は中央部の下部、ローラーＲ５は中央部の上部に設けられている。抽斗の収納状態に近い状態では、抽斗１４の側部に固定された図示しない抽斗側レールが、ローラーＲ１，Ｒ２，Ｒ３に対して載置されるが、抽斗側レールを設けず、抽斗自体がローラーＲ１，Ｒ２，Ｒ３に載置される構成でもよい。
【００１２】
抽斗１４を引き出す際、ローラーＲ１，Ｒ２，Ｒ３は抽斗側レール下面に擦られて転動する。この場合、ローラーＲ２，Ｒ３は筐体側レール１０Ｇの内部底面をも転動するため、移動レール１２も抽斗の移動方向に移動するが、その速度は、抽斗速度の半分程である。そうして抽斗を完全に引き出すと、抽斗側レールはローラーＲ３を外れ、ローラーＲ１とＲ２に載置され、抽斗後方部はローラーＲ５によって上から支持された状態となる。また、移動レール１２は自身の重みと抽斗（とその収納物）の重さによって下方に傾こうとするが、後端上部位置のローラーＲ４が筐体側レールの内部上面に当接し、その傾きを防止する。
【００１３】
上記ガイドレールに使用のローラーを、ローラーＲ２を例示した図２、図３に示す構造にすることにより、その摩耗を防止し、更には抽斗移動時の音が防止できる。図３は図２の矢視線Ｃ−Ｃによる拡大横断面図である。両図を参照すれば、例えばポリアセタールで形成されたローラー本体ＲＨの左右両側には、ローラー本体部よりも柔軟で弾性を有する部材である無発泡ポリウレタン樹脂、又は、塩化ビニール樹脂等から成る環状の薄板状の弾性部Ｄ１，Ｄ２が配設されており、これらを左右に延伸し、円周方向において適宜数（ここでは８本）設けた連結部ＲＢによって連結している。この連結部の形態は自由であり、この例のように円柱状とせず、角柱状や細板状等であってもよい。ローラー本体の中央の孔Ｈは移動レールに取り付ける枢軸を通す孔である。
【００１４】
製法は、まず弾性部を射出成形し、その後、ローラー本体を弾性部と一体に鋳込むように射出成形して、弾性部とローラー本体を一体化させる。従って、左右の弾性部を完全に連結した連結部ＲＢに代わり、途中が途切れた単なる凸部としてもよいが、左右弾性部を互いに連結した連結部ＲＢが存在すれば、より一体化が強固になる。
【００１５】
ローラー本体ＲＨの外周面ＲＨＧは外部に露出しているが、左右の弾性部の外周部Ｄ１Ｇ，Ｄ２Ｇは、この外周面ＲＨＧよりも僅かな寸法δだけ突出している。この寸法δとしては、０．１ｍｍ〜０．３ｍｍ程度がよい。
本発明の請求項１と請求項３では、上記例のように弾性部がローラー本体部の左右に設けられている形態以外に、ローラー本体部の幅方向中間部に設けられている形態も含むが、弾性部がローラー本体部の中間部に設けられていない方が、ローラー本体部の強度上好ましい。
【００１６】
上述のように複式ガイドレールの５個のローラー全てを本発明に係るローラーとすること以外に、本発明に係るローラーの数を少なくする観点から、特にローラーＲ１とＲ４のみを本発明に係るローラーにすることでも、抽斗を引き出す場合の滑らか感が従来よりも相当に向上する。また、更に、ローラーＲ２をも本発明に係るローラーにすることにより、更に滑らかになる。
【００１７】
既述の如く、本発明に係るローラーは、上記例のような複式ガイドレールのみに適用するものではなく、単式ガイドレールにも適用できることは既述の通りであり、また、これらのガイドレールのレール本体を無くして抽斗に直接に設けてもよく、更には、筐体に直接に設けてもよい。
【００１８】
【発明の効果】
以上の説明から明らかなように本発明によれば、ガイドレールの場合もローラー単独の場合も、ローラー転動中の摩擦音と摩耗の可及的低減が可能となる。
【図面の簡単な説明】
【図１】図１は本発明に係るガイドレールの斜視図である。
【図２】図２は図１のガイドレールに使用しているローラーの拡大図である。
【図３】図３は図２の矢視線Ｃ−Ｃによる拡大断面図である。
【符号の説明】
Ｄ１，Ｄ２                弾性部
ＲＨ                      ローラー本体部
ＲＨＧ                    ローラー本体部外周面
Ｄ１Ｇ，Ｄ２Ｇ            弾性部の外周部
【図１】
2004180844.tif 000003
【図２】
2004180844.tif 000004
【図３】
2004180844.tif 000005